(57)【要約】【課題】本発明は、ナット部をコンパクト化しつつ、ナット部の操作性を高めることができ、リール脚の固定および固定解除を円滑に行えるリール固定装置を得ることにある。【解決手段】リール固定装置は、リール脚(7)を支えるリールシート本体(12)と、リール脚(7)の一端を保持する固定フード(16)と、リール脚(7)の他端を保持する可動フード(20)と、少なくともいずれか一方のフード(20)に設けられ、リールシート本体(12)にねじ込まれるナット部(37)とを備えている。ナット部(37)は、このナット部(37)と一緒に移動するフード(20)よりも小さな外径を有する摘み部(38)と、この摘み部(38)とフード(20)との間に位置する境界部(39)とを含んでいる。境界部(39)は、摘み部(38)からフード(20)の方向に進むに従い外径を増すように傾斜する傾斜面(35)を有し、この傾斜面(35)に指掛け部(41)が形成されている。【選択図】      図１
2007117046.tif 000002
【特許請求の範囲】
【請求項１】
魚釣用リールのリール脚を支えるリールシート本体と、
上記リール脚の一端を上記リールシート本体との間で保持する第１のフードと、
上記第１のフードと向かい合うとともに、上記リール脚の他端を上記リールシート本体との間で保持する第２のフードと、
上記第１のフードおよび上記第２のフードの少なくともいずれか一方に設けられ、上記リールシート本体に回転可能にねじ込まれるナット部と、を具備し、
上記ナット部の回転により上記第１および第２のフードを相対的に近づいたり遠ざかる方向に移動させることで、上記リール脚を上記リールシート本体に取り外し可能に固定するリール固定装置であって、
上記ナット部は、このナット部と一緒に移動するフードよりも小さな外径を有する摘み部と、この摘み部と上記フードとの間に位置する境界部とを含み、上記境界部は、上記摘み部から上記フードの方向に進むに従い外径を増すように傾斜する傾斜面を有するとともに、この傾斜面に指掛け部を形成したことを特徴とするリール固定装置。
【請求項２】
請求項１の記載において、上記指掛け部は、上記ナット部の周方向に間隔を存して配置された複数の凹部によって規定されることを特徴とするリール固定装置。
【請求項３】
請求項２の記載において、上記凹部は、上記傾斜面よりも窪んだ底面を有し、この底面は、上記ナット部の回転方向と交差する方向に延びる側縁部を有するとともに、上記底面の側縁部と上記傾斜面とで規定される角部は、鈍角であることを特徴とするリール固定装置。
【請求項４】
請求項２又は請求項３の記載において、上記凹部は、上記フードの外周面に連なる端面を有し、この端面と上記フードの外周面とで規定される角部は、略直角であることを特徴とするリール固定装置。
【請求項５】
請求項１ないし請求項４のいずれかの記載において、上記摘み部の外周面に複数の溝が形成され、これら溝は、上記摘み部の軸方向に延びるとともに上記摘み部の周方向に間隔を存して並んでいることを特徴とするリール固定装置。
【請求項６】
請求項１ないし請求項５のいずれかの記載において、上記ナット部と一緒に回転するフードの外周面は、上記摘み部および上記傾斜面よりも平滑に形成されていることを特徴とするリール固定装置。
【請求項７】
請求項１ないし請求項６のいずれかの記載において、上記ナット部は、上記フードと一体に形成されていることを特徴とするリール固定装置。
【請求項８】
魚釣用リールのリール脚を支えるリールシート本体と、
上記リールシート本体に設けられ、上記リール脚の一端を受け入れる開口を有する固定フードと、
上記リール脚の他端を受け入れる開口を有するとともに、上記リールシート本体にねじ込まれるナット部が一体に形成された可動フードと、を具備し、
上記ナット部の回転により上記可動フードを上記固定フードに近づいたり遠ざかる方向に移動させることで、上記リール脚を上記リールシート本体に取り外し可能に固定するリール固定装置であって、
上記ナット部は、上記可動フードよりも小さな外径を有する摘み部と、この摘み部から上記可動フードの方向に進むに従い上記摘み部の径方向外側に向けて傾斜する傾斜面と、この傾斜面に形成された指掛け部とを備えていることを特徴とするリール固定装置。
【請求項９】
請求項８の記載において、上記指掛け部は、上記ナット部の周方向に間隔を存して配置された複数の凹部によって規定されるとともに、上記摘み部は、その外周面に滑り止め用の複数の溝を有することを特徴とするリール固定装置。
【請求項１０】
請求項８又は請求項９の記載において、上記可動フードの外周面は、上記摘み部の外周面および上記傾斜面よりも平滑であることを特徴とするリール固定装置。
【発明の詳細な説明】
【技術分野】
【０００１】
本発明は、魚釣用リールを釣竿に固定するためのリール固定装置に係り、特に可動側のフードを動かす時に手の指先で掴んで回転させるナット部の構造に関する。
【背景技術】
【０００２】
釣竿は、元竿管の手元側に魚釣用リールを固定するリール固定装置を備えている。この種のリール固定装置は、魚釣用リールのリール脚を支えるリールシート本体と、このリールシート本体にリール脚を固定する第１のフードおよび第２のフードとを有している。
【０００３】
第１および第２のフードは、リール脚を間に挟んで向かい合うようにリールシ−ト本体に設けられている。第１のフードは、リールシート本体に一体に形成されて、リールシート本体に対する位置が固定的に定められている。第２のフードは、ナット部と一体化されており、このナット部をリールシート本体にねじ込むことで、第２のフードが第１のフードに近づいたり遠ざかる方向に移動するようになっている。
【０００４】
この第２のフードの移動により、リール脚を第１のフードとの間で挟み込んだり、リール脚の挟み込みを解除することができ、魚釣用リールをリールシート本体の上に取り外し可能に固定できる。
【０００５】
このようなリール固定装置では、第２のフードを移動させる際に、ナット部を手の指先で掴んで回転させる必要がある。このため、従来のナット部は、例えばコルクあるいはＥＶＡ樹脂のような柔軟な材料で形成された握り部によって覆われている。握り部は、手の指先で容易に掴めるような外径および長さ寸法を有するとともに、その外周面がなだらかな曲面に仕上げられている（例えば、特許文献１参照）。
【特許文献１】実開平３−５０８６３号公報
【発明の開示】
【発明が解決しようとする課題】
【０００６】
従来のリール固定装置によると、ナット部を覆う握り部は、可動フードよりも大きな外径を有するので、太くて長い握り部がリールシート本体の前方に大きく張り出している。このため、握り部を掴み易い反面、握り部の存在感が無視できない程に大きくなり、リール固定装置の外観に悪影響を及ぼすことがあり得る。
【０００７】
しかも、握り部が太いので、リールシート本体の上に魚釣用リールを固定したり、この魚釣用リールをリールシート本体から取り外す時に、握り部と魚釣用リールの前端部との間のクリアランスが少なくなる。このため、握り部を掴んでナット部を回転させる時に、手の指が魚釣用リールの前端部と干渉することがある。したがって、ナット部を回転させ難くなり、魚釣用リールの着脱時の作業性が損なわれてしまう。
【０００８】
さらに、握り部をコルクで形成した場合、コルクは水分が付着すると滑り易くなるので、例えばナット部を強固に締め付けたり、あるいは強固に締め込まれたナット部を緩める時に、指先が滑って握り部をしっかりと握ることができなくなる。この結果、ナット部をうまく回すことができず、ナット部の円滑な操作が妨げられる虞がある。
【０００９】
本発明の目的は、ナット部をコンパクト化しつつ、ナット部の操作性を高めることができ、リール脚の固定および固定解除を円滑に行えるリール固定装置を得ることにある。
【課題を解決するための手段】
【００１０】
上記目的を達成するため、本発明の一つの形態に係るリール固定装置は、  
魚釣用リールのリール脚を支えるリールシート本体と、  
上記リール脚の一端を上記リールシート本体との間で保持する第１のフードと、  
上記第１のフードと向かい合うとともに、上記リール脚の他端を上記リールシート本体との間で保持する第２のフードと、  
上記第１のフードおよび上記第２のフードの少なくともいずれか一方に設けられ、上記リールシート本体に回転可能にねじ込まれるナット部と、を備えており、  
上記ナット部の回転により上記第１および第２のフードを相対的に近づいたり遠ざかる方向に移動させることで、上記リール脚を上記リールシート本体に取り外し可能に固定するリール固定装置であって、  
上記ナット部は、このナット部と一緒に移動するフードよりも小さな外径を有する摘み部と、この摘み部と上記フードとの間に位置する境界部とを含んでいる。上記境界部は、上記摘み部から上記フードの方向に進むに従い外径を増すように傾斜する傾斜面を有し、この傾斜面に指掛け部を形成したことを特徴としている。
【発明の効果】
【００１１】
本発明によれば、ナット部がコンパクトな形状となり、軽快な外観を有するリール固定装置を得ることができる。
【００１２】
しかも、魚釣用リールをリールシート本体に固定したり、この固定を解除する時に、ナット部とリールシート本体との間に十分なクリアランスを確保でき、手の指先が魚釣用リールと干渉し難くなる。それとともに、摘み部を手の指先で掴んでナット部を回転させる時に、傾斜面上の指掛け部に指先が引っ掛かり、ナット部に対する指先の滑りを防止できる。したがって、ナット部をしっかりと掴んで容易に回転させることができ、魚釣用リールの着脱時の作業性が向上する。
【発明を実施するための最良の形態】
【００１３】
以下本発明の実施の形態を、図１ないし図１０に基づいて説明する。
【００１４】
図１は、例えばルアーフィッシングに用いる釣竿１を開示している。釣竿１は、中空又は中実の元竿管２を有し、この元竿管２にリール固定装置３が取り付けられている。
【００１５】
リール固定装置３は、例えば魚釣用の両軸リール４を取り外し可能に固定するためのものである。両軸リール４は、スプール軸５を支持するボディ６を備えている。ボディ６の下端にリール脚７が形成されている。リール脚７は、ボディ６の後端に位置する第１の端部７ａと、ボディ６の前端に位置する第２の端部７ｂとを有している。
【００１６】
図１ないし図３に示すように、リール固定装置３は、例えばグリップ１０を有するベイトキャスティングタイプのハンドル部１１を備えている。グリップ１０は、例えば発泡性樹脂材料やコルクで形成されており、手で把持し易いような円筒状をなしている。ハンドル部１１は、合成樹脂製のリールシート本体１２を備えている。リールシート本体１２は、グリップ１０の前端に連なっており、これらグリップ１０およびリールシート本体１２を元竿管２が貫通している。
【００１７】
リールシート本体１２は、両軸リール４のリール脚７を受け止める平坦なシート部１３と、シート部１３の後端に位置する基部１４と、シート部１３の前端に位置する雄ねじ部１５とを有している。
【００１８】
シート部１３は、リールシート本体１２の上面に露出するとともに、元竿管２の軸方向に延びている。基部１４は、グリップ１０の前端に滑らかに連続するような円筒状をなしている。基部１４の外周面の上部に第１のフードとしての固定フード１６が一体に形成されている。固定フード１６は、シート部１３の後端に向けて開口するスリット状の第１の開口１７を有している。
【００１９】
さらに、リールシート本体１２にトリガー１８が形成されている。トリガー１８は、基部１４の外周面からシート部１３とは反対側に向けて突出しており、グリップ１０の直前に位置している。トリガー１８は、グリップ１０を握った手の中指と薬指とで挟み込むためのものである。このトリガー１８の存在により、グリップ１０に対する手のずれを防止することができ、釣竿１のキャスティング操作を確実に行えるようになっている。
【００２０】
リールシート本体１２の雄ねじ部１５は、シート部１３の前端から突出しており、この雄ねじ部１５を元竿管２が貫通している。
【００２１】
図２ないし図４に示すように、シート部１３の前端部に第２のフードとしての可動フード２０が取り付けられている。可動フード２０は、本体２１と外装カバー２２とで構成されている。本体２１は、例えばＡＢＳ樹脂、ポリアミド、ポリスチロール、ポリプロピレン、ポリカーボネート、ポリアセタールのような硬質な合成樹脂材料で形成されている。
【００２２】
図７および図８に示すように、本体２１は、大径部２３と小径部２４とを備えている。大径部２３は、シート部１３の前端部を外側から覆うような大きさのリング状をなしている。大径部２３の内面は、リールシート本体１２の後方に進むに従いシート部１３から遠ざかる方向に傾斜している。大径部２３の内面の一部は、シート部１３の前端部との間にスリット状の第２の開口２５を形成している。第２の開口２５は、シート部１３に向けて開口している。このため、本体２１の大径部２３が可動フード２０の主要部を構成している。
【００２３】
小径部２４は、大径部２３よりも径が小さい中空の円筒状をなしている。小径部２４は、大径部２３からシート部１３とは反対側に向けて同軸状に突出しており、この小径部２４の内面に雌ねじ部２６が形成されている。リールシート本体１２の雄ねじ部１５は、雌ねじ部２６にねじ込まれている。
【００２４】
さらに、大径部２３の外周面に周方向に連続する逃げ部２７が形成されている。逃げ部２７は、大径部２３と小径部２４との間に位置している。この逃げ部２７の外径は、大径部２３よりも小さく、かつ小径部２４よりも大きい。雌ねじ部２６の後端は、逃げ部２７の内側にまで達している。
【００２５】
可動フード２０の外装カバー２２は、例えばアルミニウム、ステンレス、チタンあるいは真鍮のような金属材料により形成されている。外装カバー２２は、本体２１の外周面に接着等の手段により固定されている。
【００２６】
外装カバー２２は、第１のカバー部３０、第２のカバー部３１および第３のカバー部３２を備えている。第１のカバー部３０は、本体２１の大径部２３を外側から覆うリング状をなしており、この第１のカバー部３０の外周面に周方向に連続する溝３３が形成されている。
【００２７】
第２のカバー部３１は、第１のカバー部３０よりも径が小さい円筒状をなしている。第２のカバー部３１は、本体２１の小径部２４を外側から覆っており、この第２のカバー部３１の外周面に滑り止め用の複数のローレット溝３４が形成されている。ローレット溝３４は、第２のカバー部３１の軸方向に延びるとともに、この第２のカバー部３１の周方向に等間隔に並んでいる。
【００２８】
第３のカバー部３２は、第１のカバー部３０と第２のカバー部３１とを同軸状に連結するとともに、本体２１の逃げ部２７を外側から覆っている。第３のカバー部３２の外周面は、第２のカバー部３１から第１のカバー部３０の方向に進むに従い外径を増す方向に傾斜する傾斜面３５をなしている。
【００２９】
本実施の形態によると、本体２１の小径部２４および逃げ部２７は、外装カバー２２の第２のカバー部３１および第３のカバー部３２と協働してナット部３７を構成している。ナット部３７は、可動フード２０を固定フード１６に近づいたり遠ざかる方向に移動させるためのものであり、可動フード２０と一体化されている。
【００３０】
ナット部３７は、摘み部３８と境界部３９とを備えている。摘み部３８は、ナット部３７を回転させる時に、手の指先で掴む部分であり、上記ローレット溝３４を有する外装カバー２２の第２のカバー部３１によって構成されている。このため、摘み部３８は、可動フード２０よりも小さな外径を有している。
【００３１】
境界部３９は、可動フード２０と摘み部３８との間に位置している。この境界部３９は、上記傾斜面３５を有する第３のカバー部３２によって構成されている。
【００３２】
本実施の形態によると、ナット部３７を含む可動フード２０の全長Ｌは、例えば約２５mmであり、従来一般的な可動フードの全長よりも短くなっている。可動フード２０の全長Ｌが短すぎると、摘み部３８を手の指先で摘み難くなる。逆に可動フード２０の全長Ｌが長すぎると、釣竿１の操作性や機能性に悪影響を及ぼしたり、リール固定装置３の軽量化を損なうことがあり得る。したがって、可動フード２０の全長Ｌは、２０mm〜３５mmの範囲内とすることが好ましい。
【００３３】
さらに、本実施の形態では、可動フード２０の全長Ｌは、外装カバー２２の最大外径Ｄよりも小さく設定されている。
【００３４】
境界部３９の傾斜面３５は、摘み部３８を手の指で掴んだ時に、特にその親指や人差し指の指先が突き当たる部分である。この傾斜面３５は、滑り止め用の指掛け部４１を備えている。図５および図６に示すように、指掛け部４１は、傾斜面３５に形成した例えば六個の凹部４２によって規定されている。凹部４２は、ナット部３７の周方向に６０°の間隔を存して並んでいるとともに、本体２１の逃げ部２７の上に位置している。
【００３５】
凹部４２の数や大きさは、傾斜面３５の面積に影響を及ぼす。具体的には、凹部４２の間隔が広すぎると、傾斜面３５のうち隣り合う凹部４２の間に位置する部分の面積が広がるので、摘み部３８を手の指で掴んだ時に、親指や人差し指の指先が凹部４２からずれることがある。このため、凹部４２の数およびナット部３７の周方向に沿う凹部４２の幅は、親指や人差し指の指先が必ず突き当たるように任意に選択することが好ましい。
【００３６】
図４、図６および図９に示すように、各凹部４２は、底面４３と端面４４とを有している。底面４３は、傾斜面３５よりも窪んでいるとともに、円弧状に湾曲している。このため、各凹部４２の深さは、ナット部３７の周方向に沿う凹部４２の中心位置で最大となっている。この凹部４２の最大深さ寸法は、例えば２．２５mmとなっている。
【００３７】
さらに、凹部４２の底面４３は、ナット部３７の周方向と交差する方向に延びる一対の側縁部４５を有している。側縁部４５は、摘み部３８の方向に進むに従い互いに近接するように傾斜している。
【００３８】
この際、凹部４２の底面４３の曲率を一定とした場合、凹部４２の深さが浅くなる程、底面４３の側縁部４５が互いに近づく。言い換えると、隣り合う凹部４２の配置間隔が広くなり、摘み部３８を手の指で掴んだ時に、親指や人差し指の指先が凹部４２から外れ易くなるとともに、凹部４２と指先との接触領域が狭くなる。そのため、凹部４２の深さや底面４３の曲率は、親指の指先が必ず突き当たるように任意に選択することが好ましい。
【００３９】
図６に示すように、ナット部３７を軸方向から見た時に、底面４３の側縁部４５と傾斜面３５とで規定される角部４６の角度α1は、凹部４２の底面４３と第１のカバー部３０の外周面との交点Ｐを通る法線Ｎと、交点Ｐを通る底面４３の接線Ｔとの交差角度で表すことができる。この角部４６の角度α1は、鈍角となっている。こうすることで、角部４６がエッジ状に尖るのを防止することができ、手の指先が凹部４２に突き当たった時に指先が痛くなるといった問題が発生し難くなる。
【００４０】
なお、凹部４２を有する傾斜面３５は、指先を突き当てることを考慮すると、その勾配を例えば７００／１０００〜１３００／１０００の範囲内とすることが望ましい。
【００４１】
一方、各凹部４２の端面４４は、ナット部３７の径方向に沿って延びている。端面４４は、外装カバー２２の第１のカバー部３０と隣り合うとともに、この第１のカバー部３０の外周面と底面４３との間を結んでいる。第１のカバー部３０の外周面と端面４４とで規定される角部４７の角度α2は、略直角となっている。ここでの略直角とは、９０°±２０°の範囲のことを指している。
【００４２】
本実施の形態によると、可動フード２０の第１のカバー部３０の外周面は、摘み部３８および境界部３９の傾斜面３５よりも平滑に形成されている。言い換えると、第１のカバー部３０の外周面は、摘み部３８、傾斜面３５および凹部４２の底面４３よりも摩擦抵抗が小さくなるように仕上げられている。ここでの摩擦抵抗とは、可動フード２０およびナット部３７の周方向に沿う抵抗のことを指している。
【００４３】
なお、場合によっては、傾斜面３５を第１のカバー部３０の外周面と同等の摩擦抵抗を有するように平滑に仕上げてもよい。
【００４４】
さらに、外装カバー２２の第１ないし第３のカバー部３０〜３２の外周面には、意匠的な視覚効果を高めるための装飾被膜を形成する表面処理が施されている。この表面処理は、外装カバー２２に溝３３、ローレット溝３４および凹部４２を切削した後に実施される。
【００４５】
装飾被膜としては、外装カバー２２の材質に対応して種々のタイプを選択することができる。例えば、クロム、チタンおよびその酸化物、炭化物およびダイヤモンドライクカーボンのような材料からなる硬質皮膜がその一例である。
【００４６】
装飾被膜を形成する方法としては、例えば物理蒸着法、化学蒸着法、ＣＶＤ法、イオンプレーティング法、スパッタリング法および湿式メッキ法等を選択することができる。
【００４７】
このような実施の形態において、両軸リール４をリールシート本体１２に固定するには、まず、両軸リール４のリール脚７をシート部１３の上に載置し、リール脚７の第１の端部７ａを固定フード１６の第１の開口１７に挿入する。次に、ナット部３７の摘み部３８を手の指先で掴んでナット部３７を締め付け方向に回転させる。この回転により、可動フード２０がナット部３７と一緒にシート部１３に向けて移動し、可動フード２０がリール脚７の第２の端部７ｂの上に被さる。
【００４８】
言い換えると、可動フード２０とシート部１３との間の第２の開口２５にリール脚７の第２の端部７ｂが入り込む。この状態でさらにナット部３７を締め付けると、リール脚７の第１および第２の端部７ａ，７ｂが固定フード１６と可動フード２０との間で挟み込まれるとともに、これら両フード１６，２０を介してシート部１３に押し付けられる。この結果、リール脚７がシート部１３に保持され、両軸リール４がリールシート本体１２の定位置に固定される。
【００４９】
両軸リール４をリールシート本体１２から取り外すには、ナット部３７の摘み部３８を手の指先で掴んでナット部３７を緩める方向に回転させる。この回転により、可動フード２０がナット部３７と一緒にシート部１３から遠ざかる方向に移動し、可動フード２０がリール脚７の第２の端部７ｂから離脱する。これにより、固定フード１６と可動フード２０との間でのリール脚７の挟み込みが解除される。よって、両軸リール４をリールシート本体１２から取り外すことができる。
【００５０】
上記実施の形態によると、ナット部３７を含む可動フード２０の全長Ｌは、可動フード２０の最大外径Ｄよりも短い２５mmに設定されている。しかも、ナット部３７の摘み部３８は、可動フード２０よりも径が小さいので、ナット部３７が従来よりもコンパクトな形状となる。
【００５１】
この結果、可動フード２０と一体のナット部３７がリールシート本体１２の前方に大きく張り出すのを防止できるとともに、ナット部３７そのものの存在感が減少する。よって、可動フード２０回りの軽快感が高まり、スタイリッシュな外観を有するリ−ル固定装置３を得ることができる。
【００５２】
リール固定装置３に両軸リール４を固定した状態では、図１に見られるように、可動フード２０がシート部１３の前端部に被さるとともに、ナット部３７が両軸リール４の前端部の直前に位置している。この際、ナット部３７の摘み部３８は、可動フード２０よりも径が小さいので、摘み部３８と両軸リール４のボディ６との間に手の指先を差し入れるに十分なクリアランスを確保することができる。
【００５３】
この結果、摘み部３８を手の指先で掴んでナット部３７を回転させる時に、手の指が両軸リール４と干渉し難くなり、ナット部３７の操作性が良好となる。
【００５４】
ナット部３７の摘み部３８を手の指先で掴んだ状態では、主に親指および人差し指の指先が境界部３９の傾斜面３５に突き当たる。そのため、ナット部３７を回転させる時には、手の指先が摘み部３８と境界部３９との双方に跨って接することになり、ナット部３７と手の指先との接触範囲が増える。
【００５５】
さらに、摘み部３８の外周面に複数のローレット溝３４が形成されているので、摘み部３８を手の指先で掴んだ時に指先が滑り難くなる。
【００５６】
この結果、摘み部３８が小径であるにも拘らず、この摘み部３８を片手でしっかりと掴んで容易に回転させることができる。よって、リール脚７をシート部１３に固定したり、この固定を解除する際の作業性が良好となる。
【００５７】
加えて上記構成によると、境界部３９の傾斜面３５には、複数の凹部４２が周方向に間隔を存して配置されているので、傾斜面３５に親指や人差し指の指先を突き当てた時に、指先の腹が凹部４２に食い込むような状態となる。このため、指先を傾斜面３５に引っ掛けることができ、ナット部３７を回転させる時に手の指先が滑り難くなる。
【００５８】
それとともに、傾斜面３５の上の凹部４２は、凹部４２の底面４３と第１のカバー部３０の外周面との間を結ぶ端面４４を有するので、この端面４４と第１のカバー部３０の外周面とで規定される角部４７に指先の腹を引っ掛けることができる。
【００５９】
このため、特にナット部３７を締め込む方向に回転させる時に、可動フード２０の移動方向に沿うようにナット部３７を軸方向に押圧することができる。したがって、ナット部３７を締め込む時の力を確実に可動フード２０に伝えることができ、ナット部３７の締め付け作業を効率良く容易に行うことができる。
【００６０】
本実施の形態では、角部４７の角度α2を９０°±２０°の範囲内に規定している。例えば、角度α2が１１０°を上回ると、端面４４の傾斜が強すぎて親指の腹が角部４７に掛かり難くなる。このため、親指の腹を傾斜面３５に突き当てた時に、親指が端面４４に沿ってずれ動き易くなる。よって、ナット部３７を軸方向に押圧しようとする力がナット部３７の径方向に分散するのを避けられず、ナット部３７の締め込み力を可動フード２０に確実に伝えることができなくなる。
【００６１】
一方、角度α2が７０°を下回ると、角部４７がエッジ状に尖った形状となる。そのため、角部４７を丸めたり、あるいは角部４７に面取りを施したとしても、角部４７に親指の腹を引っ掛けた時に、釣人が痛い思いをすることがある。
【００６２】
このことから、角部４７の角度α2を９０°±２０°の範囲内に規定することで、ナット部３７をシート部１３に向けて強固に押圧できるとともに、この押圧時に親指が痛くなるといった不具合を解消できる。
【００６３】
図１０に示すように、グリップ１０を片手で握って釣竿１をキャスティング操作する時、釣人によってはキャスティングの正確性を増すために、トリガー１８を中指と薬指とで挟み込んだ状態で人差し指を前に延ばし、この人差し指の腹を可動フード２０の第１のカバー部３０の外周面に当接させることがあり得る。人差し指が可動フード２０に接していると、この接触部分に生じる摩擦抵抗により可動フード２０が不所望に回転し、いつの間にか可動フード２０が緩んでしまう虞があり得る。
【００６４】
しかるに、本実施の形態によると、第１のカバー部３０の外周面は、摘み部３８や傾斜面３５よりも平滑に形成されているので、この第１のカバー部３０の外周面に人差し指の指先が触れていても、この指先が第１のカバー部３０の外周面から滑り易くなる。
【００６５】
言い換えると、指先と第１のカバー部３０の外周面との間に生じる摩擦抵抗が小さく抑えられ、例えば釣の最中に可動フード２０に接している人差し指を動かしたとしても、可動フード２０を緩めようとする方向の力が可動フード２０に伝わり難くなる。
【００６６】
したがって、可動フード２０と一体のナット部３７が滑り止め用のローレット溝３４や指掛け用の凹部４２を有していても、可動フード２０を手の指先で意識的に回さない限り、可動フード２０を定位置に保つことができ、両軸リール４をがたつくことなくシート部１３に固定できる。
【００６７】
さらに、ナット部３７は可動フード２０と一体化されているので、部品点数を少なく抑えることができる。このため、リール固定装置３の軽量化やコストの低減が可能となるといった利点がある。
【００６８】
本発明は上記実施の形態に特定されるものではなく、発明の主旨を逸脱しない範囲内で種々変更して実施可能である。
【００６９】
例えば、シート部の後端に位置する第１のフードを移動可能な可動フードとするとともに、シート部の前端に位置する第２のフードを固定フードとしたり、第１および第２のフードの双方を可動フードとしてもよい。第１および第２のフードを夫々可動フードとする場合は、各フードにナット部を設ける必要があることは勿論である。
【００７０】
さらに、可動フードとナット部とを互いに別部品で構成し、これら別部品を互いに連結するようにしてもよい。
【００７１】
それとともに、上記実施の形態では、可動フードを合成樹脂製の本体と金属製の外装カバーとで構成したが、可動フードを一つの材料で一体に形成してもよい。この際、可動フードの材料としては、リール脚の傷付きを防止することを考慮すると、例えばＡＢＳ樹脂のような合成樹脂が好ましいものとなる。
【００７２】
加えて、傾斜面上の指掛け部にしても凹部によって形成されるものに限らず、例えば複数の凸部によって形成してもよい。凸部を指掛け部とする場合、凸部はナット部の軸方向に延びるような形状とすることが好ましく、手の指先は凸部の長手方向に沿う側面に引っ掛かることになる。
【図面の簡単な説明】
【００７３】
【図１】本発明の実施の形態において、リール固定装置に両軸リールを固定した状態を示す釣竿の側面図。
【図２】本発明の実施の形態に係るリール固定装置の斜視図。
【図３】本発明の実施の形態に係るリール固定装置の断面図。
【図４】本発明の実施の形態において、ナット部を一体化した可動フードを分解して示す斜視図。
【図５】本発明の実施の形態において、ナット部を一体化した可動フードの側面図。
【図６】本発明の実施の形態において、ナット部を一体化した可動フードの正面図。
【図７】本発明の実施の形態において、ナット部を一体化した可動フードを一部断面で示す側面図。
【図８】本発明の実施の形態において、可動フードの本体を一部断面で示す側面図。
【図９】本発明の実施の形態において、可動フードの外装カバーを一部断面で示す側面図。
【図１０】本発明の実施の形態において、リール固定装置のグリップを片手で握ってキャスティング操作をする時の釣竿の側面図。
【符号の説明】
【００７４】
４…リール（両軸リール）、７…リール脚、１２…リールシート本体、１６…第１のフード（固定フード）、２０…第２のフード（可動フード）、３５…傾斜面、３７…ナット部、３８…摘み部、３９…境界部、４１…指掛け部。
【図１】
2007117046.tif 000003
【図２】
2007117046.tif 000004
【図３】
2007117046.tif 000005
【図４】
2007117046.tif 000006
【図５】
2007117046.tif 000007
【図６】
2007117046.tif 000008
【図７】
2007117046.tif 000009
【図８】
2007117046.tif 000010
【図９】
2007117046.tif 000011
【図１０】
2007117046.tif 000012